(57)【特許請求の範囲】
【請求項１】
衛生洗浄装置を便器上面に固定するための固着具による取付構造であって、便器の後部上面に設けられた挿入穴に挿入される複数の取付具を有し、この取付具の各々の頂部には弾性を有する固定板が設けられ、この固定板は、後端において、衛生洗浄装置の後端外側に配置される押し板により互いに連結されるとともに、後端部には、衛生洗浄装置の後部裏面側に形成された溝状の取付けガイドに係合される引掛部が備えられており、前記取付具が便器の挿入穴に挿入固定された後に、取付けガイドに固定板が挿入され、このときに固定板に発生する弾性力によって、引掛部が取付けガイドに係合されて衛生洗浄装置が便器上面に取付け固定され、取外しの際には、押し板が下方に押し下げられることにより引掛部の係合が解除され、衛生洗浄装置が前方に引き出されて取外されることを特徴とする衛生洗浄装置の取付構造。
【請求項２】
押し板は、衛生洗浄装置の後端部の高さより若干低い高さを有する請求項１記載の衛生洗浄装置の取付構造。
【請求項３】
押し板上部が下方に若干窪んでいる請求項１又は２記載の衛生洗浄装置の取付構造。
【発明の詳細な説明】
【０００１】
【発明の属する技術分野】
この出願の発明は、衛生洗浄装置の取付構造に関するものである。さらに詳しくは、この出願の発明は、衛生洗浄装置を便器に簡便かつ容易に取り付け、取り外すことができ、また、強固な取付けを可能ともする、新しい衛生洗浄装置の取付構造に関するものである。
【０００２】
【従来の技術】
従来より、局部を温水洗浄する装置として、衛生洗浄装置が提供されてきており、便器上面に設置されて使用されている。
この衛生洗浄装置を便器上面に設置するための取付構造としては、たとえば図１５及び図１６に示したような構造が知られている。
【０００３】
便器（１）には、一般に、便座取付け用のボルト挿入穴（２）が、後部上面に２ヵ所形成されている。このボルト挿入穴（２）が便器（１）を貫通している場合には、図１５に示した取付構造が採用される。
この図１５に示した取付構造においては、衛生洗浄装置（３）を固定するための取付けボルト（４）をボルト挿入穴（２）に挿入するとともに、その頂部を衛生洗浄装置（３）の後部裏面側に形成された溝状の取付けガイド（５）に挿入した後に、便器（１）の裏面に半球パッキン（６）を介在させ、ナット（７）を下方より締め付けて、衛生洗浄装置（３）を便器（１）の上面に取付け固定するようにしている。
【０００４】
一方、ボルト挿入穴（２）が非貫通のものである場合には、図１６に示した取付構造が採用される。
この図１６に示した取付構造では、専用の上面固定金具（８）が用いられる。この上面固定金具（８）は、ゴム製ナット（９）を有し、その頂部には、ステンレス製等の固定板（１０）を備えている。
【０００５】
衛生洗浄装置（３）を設置する場合には、便器（１）の後部上面に形成されたボルト挿入穴（２）に上面固定金具（８）のゴム製ナット（９）を挿入し、次いで上部に設けられたネジ（１１）を締め付け、ゴムの圧縮変形を利用して上面固定金具（８）を便器（１）に固定する。この後に、固定板（１０）を衛生洗浄装置（３）の後部裏面側に形成された取付けガイド（５）に挿入する。
【０００６】
図１７の要部断面図にも示したように、固定板（１０）は、その中央部から後部にかけて上方に屈曲されており、この屈曲により弾性が付与されている。また、固定板（１０）の後端部には、引掛部（１２）が同じく屈曲形成されており、その前後端には、ストッパー（１３）及び突起（１４）が各々形成されてもいる。固定板（１０）は、取付けガイド（５）内に進入するに従って、下方に押圧され、上方へと向かう弾性力が発生する。このときの弾性力によって、引掛部（１２）が取付けガイド（５）と係合し、衛生洗浄装置（３）が便器（１）の上面に取付け固定される。
【０００７】
図１６に示した取付構造では、また、たとえば清掃などのために衛生洗浄装置（３）を取り外す場合には、衛生洗浄装置（３）の後端に当接配置された突起（１４）を下方に押し下げ、これによって、引掛部（１２）の係合を解除する。この後に、衛生洗浄装置（３）を便器（１）の前方に向かって引き出すと、取り外すことができる。
【０００８】
【発明が解決しようとする課題】
しかしながら、たとえばこれらの図１５及び図１６に示される従来の衛生洗浄装置の取付構造については、衛生洗浄装置（３）の取付け及び取外しが容易でなく、その改善が望まれているのが実際であった。
すなわち、図１５に示した取付構造では、衛生洗浄装置（３）の取付け及び取外しは、取付けボルト（４）とナット（７）の締結及びその解除によって実現されるため、取付け及び取外し作業は、便器（１）の裏面側の低い位置で、しかも各取付けボルト（４）毎に行わなければならない。元来、トイレは、空間的に狭く、各種作業に適した十分なスペースを確保しにくくなっている。このようなトイレにおいて上記したような取付け及び取外し作業を行うのはかなりの無理がある。
【０００９】
一方、図１６に示した取付構造では、取付け時に、衛生洗浄装置（３）の取付けガイド（５）に固定板（１０）を確実に挿入するには、固定板（１０）の位置決めを的確に行ってゴム製ナット（９）を便器（１）に固定する必要がある。しかも、上面固定金具（８）は、たとえばこの図１６に示したように、複数が独立して設けられることから、位置決めは、各々の上面固定金具（８）について行わなければならず、煩わしいものとなっている。
【００１０】
また、取外し時には、図１５に示した取付構造よりは簡便となっているものの、突起（１４）は、便器（１）の後端下部に配置されるため、押し下げにくい。上面固定金具（８）が複数設けられる場合には、全ての突起（１４）を同時に押し下げる必要があり、操作性が良好とは決して言い難い。
さらには、この取付構造の場合には、複数の引掛部（１２）が別々に便器（１）の取付けガイド（５）に係合するため、衛生洗浄装置（３）の固定にガタツキが生じやすいという問題もある。
【００１１】
この出願の発明は、以上の通りの事情に鑑みてなされたものであり、従来の衛生洗浄装置の取付構造の欠点を解消し、局部洗浄機能を有する衛生洗浄装置の便器上面への取付け及び取外しを簡便かつ容易とし、同時に、強固な取付けを可能とする、改善された衛生洗浄装置の取付構造を提供することを目的としている。
【００１２】
【課題を解決するための手段】
この発明は、上記の課題を解決するものとして、衛生洗浄装置を便器上面に固定するための固着具による取付構造であって、固着具は、便器の後部上面に設けられた挿入穴に挿入される複数の取付具を有し、この取付具の各々の頂部には弾性を有する固定板が設けられ、この固定板は、後端において、衛生洗浄装置の後端外側に配置される押し板により互いに連結されるとともに、後端部には、衛生洗浄装置の後部裏面側に形成された溝状の取付けガイドに係合される引掛部が備えられており、前記取付具が便器の挿入穴に挿入固定された後に、取付けガイドに固定板が挿入され、このときに固定板に発生する弾性力によって、引掛部が取付けガイドに係合されて衛生洗浄装置が便器上面に取付け固定され、取外しの際には、押し板が下方に押し下げられることにより引掛部の係合が解除され、衛生洗浄装置が前方に引き出されて取外されることを特徴とする衛生洗浄装置の取付構造を提供する。
【００１３】
【発明の実施の形態】
以下、図面に沿って実施例をも示しつつ、この出願の発明の衛生洗浄装置の取付構造についてさらに詳しく説明する。
【００１４】
【実施例】
（実施例１）
図１＜ａ＞＜ｂ＞及び＜ｃ＞は、各々、この発明の衛生洗浄装置の取付構造に用いることのできる固着具の一例を示した平面図、正面図及び側面図である。
たとえばこの図１に例示した固着具は、便器（１）の後部上面に形成された便座取付け用のボルト挿入穴（２）が裏面まで貫通する場合に使用可能とされるものであり、図１５にも示した従来構造に用いられていた取付具としての取付けボルト（４）、半球パッキン（６）及びナット（７）をその基本構成として有している。
【００１５】
また、この固着具では、取付けボルト（４）の頂部には、図１６に示した従来構造に使用されていた固定板（１０）とほぼ同様な構成を有するステンレス製等の固定板（１０）が設けられている。この固定板（１０）は、中央部から後部にかけて上方に屈曲され、後端部には突起（１４）を有する引掛部（１２）が同様に屈曲形成されている。このような屈曲により、固定板（１０）には弾性が付与されている。また、図２＜ａ＞＜ｂ＞の平面図および正面図にも例示したように、固定板（１０）は、ネジ穴（１１０）を通じての前記ネジ（１１）による締結で、取付けボルト（４）の頂部に接合されている。
【００１６】
そして、この例の固着具では、図１のように、２本の取付具における取付けボルト（４）が、固定板（１０）の後端において相互に連結されている。すなわち、押し板（１５）が、固定板（１０）の後端に、ネジ止めや接着剤による固定、あるいは固定板（１０）端部の埋込み等の手段によって取付け配置され、この押し板（１５）が、２枚の固定板（１０）を繋いでいる。押し板（１５）は、所定の高さを有する平板であり、その上部は若干下方に窪んでいる。この押し板（１５）は、衛生洗浄装置（３）の後端外側に配置されるものでもある。このような押し板（１５）の上部を下方に押し下げると、これに接合された２枚の固定板（１０）はその弾性によって同時に下降することになる。上部に形成された押し板（１５）の若干の窪みは、２枚の固定板（１０）に均等に力を伝えるのに効果的である。押し板（１５）の材質については特に制限はなく、樹脂、金属、又は木材等の適宜なものとすることができる。
【００１７】
なお、取付具を構成する取付けボルト（４）の本数は、２本に限定されることはなく、複数であればよい。取付けボルト（４）が３本以上の場合にも、上記した２本の場合と同様に、その頂部に設けられる固定板（１０）を押し板（１５）によって相互に連結することができ、押し板（１５）の上部を押し下げて同時に下降させることができる。
【００１８】
このような固着具を用いて、局部温水洗浄を行う衛生洗浄装置（３）を便器（１）に取付け固定する際には、取付けボルト（４）を、図１５の従来の場合と同様に、便器（１）の後端に貫通して形成されたボルト挿入穴（２）に挿入し、便器（１）の下方より図１にも例示した半球パッキン（６）を介在させて、ワンタッチナット等のナット（７）を締め付け固定する。このとき、必要に応じて、半球パッキン（６）とナット（７）との間には、ヒンジ座金（１６）等を適宜に介在させることができる。
【００１９】
２枚の固定板（１０）は、押し板（１５）によって予め連結されているため、固定板（１０）の配置位置は押し板（１５）によって保証されており、取付けボルト（４）の固定に当たって、わざわざ固定板（１０）の左右位置決めを行う必要はない。このため、取付け作業の簡略化が図られ、しかも取付け作業は容易となる。固定板（１０）が３枚以上の場合にも全く同様である。
【００２０】
次いで、たとえば図３の裏面図に示したような衛生洗浄装置（３）の後部裏面側に形成された溝状の取付けガイド（５）に、取付けボルト（４）の頂部の固定板（１０）をその前端部より挿入する。固定板（１０）には、この取付けガイド（５）内に進入するに従って下方に押圧されることにともなって、上方へと向かう弾性力が発生することになる。
【００２１】
また、取付けガイド（５）には、図４に示したように、後端近傍の上面部に突起挿入穴（１７）が形成されている。この突起挿入穴（１７）の直下に固定板（１０）の突起（１４）が来ると、固定板（１０）の弾性力が開放されて、突起（１４）は突起挿入穴（１７）に進入し、引掛部（１２）が取付けガイド（５）に係合することになる。この係合によって、衛生洗浄装置（３）は、便器（１）の上面に取付け固定される。
【００２２】
図５＜ａ＞＜ｂ＞及び＜ｃ＞は、各々、衛生洗浄装置の設置状態を示した平面図、側面図及び正面図である。
押し板（１５）は、この図５にも例示したように、衛生洗浄装置（３）の後端近傍の外側に配置される。また、ロータンク（１８）が設置される場合には、ロータンク（１８）と衛生洗浄装置（３）との間に押し板（１５）を配置することができる。
【００２３】
たとえば清掃などのために衛生洗浄装置（３）を便器（１）から取り外す際には、押し板（１５）をその上部より下方に押し下げる。すると、前述したように、図１に示した２枚の固定板（１０）が同時に下降し、固定板（１０）先端部の突起（１４）が突起挿入穴（１７）から退出し、引掛部（１２）の取付けガイド（５）への係合が解除される。この状態において、衛生洗浄装置（３）を前方に引き出すと、衛生洗浄装置（３）を便器（１）から取り外すことができる。このように、取付けボルト（４）、半球パッキン（６）及びナット（７）を用いた固着具であっても、衛生洗浄装置（３）の取外しは、押し板（１５）の押下げ及び衛生洗浄装置（３）の引出しという簡便な操作で行うことができ、従来のような取外し作業の不便さは解消される。
【００２４】
なお、押し板（１５）の高さについては、図５にも例示したように、容易にその頂部に手が届き、しかも、露出によって外見を損なうことがないように、衛生洗浄装置（３）の後端部の高さより若干低い高さとするのが好ましい。
（実施例２）
図６＜ａ＞＜ｂ＞及び＜ｃ＞は、各々、この発明の衛生洗浄装置の取付構造に用いることのできる固着具の別の例を示した平面図、正面図及び側面図である。
【００２５】
この図６の例においては、固着具は、固定板（１０）において、複数の、たとえば具体例として５箇所のネジ穴（１１０）を有している。このような固定板（１０）は、図７＜ａ＞＜ｂ＞にも例示したように特徴的なものであって、取付けボルト（４）頂部にネジ（１１）により締結する固定板（１０）について、ネジ穴（１１０）位置に選択によって、図８のようにビス止めの位置を替えることで、その前後方向へのスライドを選択自在としている。これにより、たとえば標準サイズの便座と大型サイズへの便座との寸法差に合致したスライド移動による適切な位置での固定板（１０）の配置が可能になる大型サイズの便器への標準サイズの便座を有する衛生洗浄装置の取り付けが可能となり、また、便器の寸法のバラツキや、メーカーや品番によって形状の異なる、多種の便器にも対応できることになる。
【００２６】
このような、便器や便座サイズの選択性の向上にともなって、たとえば取付具を構成する取付けボルト（４）についても、図９のように、あらかじめマークによる位置づけを施しておいて、衛生洗浄装置を取り付ける便器の種類、サイズに応じて、ボルトの切断のための位置決めに利用することも有効である。
そしてまた、図６の例の場合には、固定板（１０）の後端に配置させる押し板（１５）を簡便に取付けるための特徴のある手段を採用してもいる。
【００２７】
すなわち、この手段では、まず固定板（１０）においては、図７にも例示したように、その後端の立上り片部（１０１）にピン挿入穴（１０２）が設けられている。また、押し板（１５）については、たとえば図１０＜ａ＞＜ｂ＞＜ｃ＞の開いた状態の展開平面図と側面図並びにＡ−Ａ部断面図に例示したように、折り曲げ可能な２箇所のヒンジ部（１５１）と、前記の固定板（１０）の立上り片部（１０１）を差込むようにした固定板ガイド溝（１５２）とを有し、さらに、固定板ガイドピン（１５３）、ピンガイド（１５４）、押し板合わせ爪（１５５）とを備えてもいる。
【００２８】
この押し板（１５）は、図１１の工程図に例示したように、
＜ａ＞開いた状態の押し板（１５）に対して、その固定板ガイド溝（１５２）に、固定板（１０）後端の立上り片部（１０１）を差込み、
＜ｂ＞押し板（１５）をヒンジ部（１５１）において折り曲げて固定板（１０）後端の立上り片部（１０１）を挾み込み、
＜ｃ＞押し板（１５）内部の固定板ガイドピン（１５３）を、固定板（１０）のピン挿入穴（１０２）に差込ませ、次いでピンガイド（１５４）に嵌合させ、最後に、押し板（１５）の外周部に設けた押し板合わせ爪（１５５）を掛けて押し板（１５）を閉じる
という手順で、ネジや接着剤等を使用することなしに、固定板（１０）への押し板（１５）の取付を簡便に可能としている。
【００２９】
このことによって、ネジや接着剤のためのコストを削減でき、工数や組立時間も減少させることが可能となる。
さらに、細かい工夫ではあるが、図６の例においては、図９からも明らかなように、取付具を構成する取付けボルト（４）の頂部には、前記の固定板（１０）のスライドと、その締結を安定なものとするための立上がりガイド部（４１）が両側に設けられている。そして、これに対応して、固定板（１０）にも、図７に示したように、立上り側部（１０３）が設けられてもいる。
【００３０】
以上の構造においては、前記の実施例１の場合と同様に、たとえば図１２に例示したように、便器（１）のボルト挿入穴（２）に取付けボルト（４）を取付けることでこの発明の固着具を装着し、次いで、衛生洗浄装置（３）の取付けガイド（５）に、固定板（１０）を挿入し、「カチッ」と音がするまで固定板（１０）を進入させる。固定板（１０）の突起（１４）が取付けガイド（５）の突起挿入穴（１７）に進入して、固定板（１０）の引掛部（１２）が取付けガイド（５）に係合する時に、この「カチッ」という音が発生し、取付けが完了したことがわかる。
【００３１】
取り外しに際しても、実施例１と同様に、図１２にも示したが、押し板（１５）を下方に押して、固定板（１０）の引掛部（１２）と衛生洗浄装置（３）後端の取付けガイド（５）との係合を解除し、次いで、衛生洗浄装置（３）を前方へ引出せばよい。
このようにすることで、衛生洗浄装置（３）は、便器（１）より取外すことが可能となる。
（実施例３）
図１４＜ａ＞＜ｂ＞＜ｃ＞は、この発明の別の例を示したものである。
【００３２】
この図１４＜ａ＞＜ｂ＞及び＜ｃ＞に示した固着具は、図１６に示した従来構造に使用される、専用の上面固定金具（８）を基本構成として有しており、便器（１）の後部上面に形成されたボルト挿入穴（２）が非貫通である場合に使用されるものである。
すなわち、固着具は、取付具としてゴム製ナット（９）を備えており、これを便器（１）の後部上面に形成されたボルト挿入穴（２）に挿入し、上部に設けたネジ（１１）を締め付けることにより、ゴムの圧縮変形を利用して便器（１）に固定することができる。なお、便器（１）への固定に際しては、必要に応じて、座金（１９）、スペーサ（２０）等を介在させることができる。
【００３３】
また、ゴム製ナット（９）の頂部には、固定板（１０）が各々設けられており、これら２枚の固定板（１０）は、図１＜ａ＞＜ｂ＞及び＜ｃ＞に示した例と同様に、後端において押し板（１５）によって連結されている。この押し板（１５）の存在により、左右の固定板（１０）の配置位置が保証され、ゴム製ボルト（９）を便器（１）に固定する際にわざわざ位置決めをしなくとも固定板（１０）は所定位置に配置され、引き続いて行われる取付けガイド（５）への固定板（１０）の挿入を確実かつ円滑としている。
【００３４】
しかも、この固着具の場合には、図１＜ａ＞＜ｂ＞及び＜ｃ＞に示した例のように、便器（１）の下方からのナット締めという作業を伴わないため、作業空間的には厳しいトイレであっても、衛生洗浄装置（３）の設置を簡便かつ容易に行うことができる。
また、２枚の固定板（１０）が押し板（１５）で繋がれているため、引掛部（１２）による取付けガイド（５）への係合は、押し板（１５）で繋がれていない従来構造に比べ、左右がほぼ均等となり、取付け状態は安定し、ガタツキが大幅に軽減される。
【００３５】
さらには、衛生洗浄装置（３）の取外しに際して、図１＜ａ＞＜ｂ＞及び＜ｃ＞に示した例と同様に、押し板（１５）を下方に押し下げることにより、２枚の固定板（１０）は同時に下降し、従来のように、１枚ずつを下方に押し下げずに済む。また、押し板（１５）の上部は、固定板（１０）よりも上方に位置するため、固定板（１０）の押下げのために手を深く挿入しなくてよい。操作性が改善され、良好となり、衛生洗浄装置（３）の取外し作業も簡便かつ容易となる。
【００３６】
以上の効果は、ゴム製ボルト（９）が３本以上設けられる場合にも全く同様である。
もちろんこの発明は、以上の例によって限定されるものではない。取付具の種類及び便器との接続構造等の細部については様々な態様が可能であることは言うまでもない。
【００３７】
【発明の効果】
以上詳しく説明した通り、この発明によって、衛生洗浄装置の便器上面への取付け及び取外しが簡便かつ容易となる。また、衛生洗浄装置を便器上面に強固に取付け固定することができ、ガタツキが著しく軽減される。
【図面の簡単な説明】
【図１】＜ａ＞＜ｂ＞及び＜ｃ＞は、各々、この発明の衛生洗浄装置の取付構造に用いることのできる固着具の一例を示した平面図、正面図及び側面図である。
【図２】＜ａ＞＜ｂ＞は、各々、図１の構造における固着具の固定板を例示した平面図と正面図である。
【図３】衛生洗浄装置の裏面部を例示した裏面図である。
【図４】図３に示した衛生洗浄装置裏面部の平面図である。
【図５】＜ａ＞＜ｂ＞及び＜ｃ＞は、各々、衛生洗浄装置の設置状態を示した平面図、側面図及び正面図である。
【図６】＜ａ＞＜ｂ＞及び＜ｃ＞は、各々、この発明の衛生洗浄装置の取付構造に用いることのできる固着具の別の例を示した平面図、正面図及び側面図である。
【図７】＜ａ＞＜ｂ＞＜ｃ＞は、各々、図６の例における固定板を例示した平面図、正面図、および側面図である。
【図８】図６の例における固着具の便器への取付けと、固定板のスライドについて例示した斜視図である。
【図９】図６の例における取付けボルトを例示した斜視図である。
【図１０】＜ａ＞＜ｂ＞＜ｃ＞は、図６の例の押し板を例示した、開いた状態の平面図、側面図および断面図である。
【図１１】押し板の固定板への取付けを例示した工程図である。
【図１２】図６の例の、便器への衛生洗浄装置の取付けを例示した工程斜視図である。
【図１３】図１２とは逆の取外しを例示した工程斜視図である。
【図１４】＜ａ＞＜ｂ＞＜ｃ＞は、各々、この発明のさらに別の例としての固着具を例示した平面図、正面図および側面図である。
【図１５】従来の衛生洗浄装置の取付構造を示した分解斜視図である。
【図１６】従来の衛生洗浄装置の取付構造を示した分解斜視図である。
【図１７】図１６に示した取付構造の要部断面図である。
【符号の説明】
１    便器
２    ボルト挿入穴
３    衛生洗浄装置
４    取付けボルト
４１  立上り側部
５    取付けガイド
６    半球パッキン
７    ナット
８    上面固定金具
９    ゴム製ボルト
１０    固定板
１０１  立上り片部
１０２  ピン挿入穴
１０３  立上り側部
１１    ネジ
１１０  ネジ穴
１２    引掛部
１３    ストッパー
１４    突起
１５    押し板
１５１  ヒンジ部
１５２  固定板ガイド溝
１５３  固定板ガイドピン
１５４  ピンガイド
１５５  押し板合わせ爪
１６    ヒンジ座金
１７    突起挿入穴
１８    ロータンク
１９    座金
２０    スペーサ
【図１】
0003603546.tif 000002
【図２】
0003603546.tif 000003
【図３】
0003603546.tif 000004
【図４】
0003603546.tif 000005
【図５】
0003603546.tif 000006
【図６】
0003603546.tif 000007
【図７】
0003603546.tif 000008
【図８】
0003603546.tif 000009
【図９】
0003603546.tif 000010
【図１０】
0003603546.tif 000011
【図１１】
0003603546.tif 000012
【図１２】
0003603546.tif 000013
【図１３】
0003603546.tif 000014
【図１４】
0003603546.tif 000015
【図１５】
0003603546.tif 000016
【図１６】
0003603546.tif 000017
【図１７】
0003603546.tif 000018